(57)【要約】【課題】多機能機器のリモコンを解りやすく構成すること。【解決手段】ドットマトリックス表示器１と、操作スイッチ２、３、４、５と、被制御機器とを遠隔操作する通信部とを備え、ドットマトリックス表示器１に表示する画面をメモ帳等のイメージで表現し、画面切替の際に表現したものに合った動的な切り替え表現を使用することにより、使用者が画面構成をイメージしやすくなるので、多機能で複雑なリモコン操作や表示を解りやすくすることができる。【選択図】図１
2006114964.tif 000002
【特許請求の範囲】
【請求項１】
ドットマトリクス表示器と、操作スイッチと、被制御機器を遠隔操作する通信部を備え、前記ドットマトリックス表示器に表示した主画面に機能グループに対応した機能表示要素を配置し、前記機能グループに対応したスイッチ操作がされたとき対応した前記機能表示要素を動的に拡大し第２の画面を構成し、前記第２の画面を終了する際は動的に前記機能表示要素へ縮小し、前記主画面にもどる表示制御おこなうリモコン装置。
【請求項２】
第２の画面はページ概念を持つ実在する物体で表現し、対応したスイッチ操作に伴う画面切替時に表現した物体に対応したページめくり表現を行うようにした請求項１に記載のリモコン装置。
【請求項３】
第２の画面は隅に折り返しを配置したメモ帳で表現し、画面切替時は前記折り返しを基点にページをめくる表現とした請求項１または２に記載のリモコン装置。
【請求項４】
第２の画面はメモ帳を表示画面ほぼ一杯に表現し、ページめくりのコマを細かくしてスタートし、徐々に粗くした表現を用いた請求項３に記載のリモコン装置。
【請求項５】
第２の画面の各ページには優先度の高い順に項目を配置し、所定レベル以下の優先度の項目については単一または複数のグループに分け、項目選択画面として第２の画面後方ページに配置した請求項１〜４に記載のリモコン装置。
【請求項６】
項目選択画面は該当ページに割り付けられた項目リストを表示し、スイッチで項目選択操作をされたら選択された項目を枠で囲み、スイッチで項目決定操作をされたら前記枠が動的に拡大し、選択項目に対応した第３の画面を構成する請求項５に記載のリモコン装置。
【請求項７】
スイッチ操作等によって第３の画面から第２の画面（項目選択画面）に戻るとき、第３の画面を項目選択画面の選択枠に動的に縮小表現する請求項６に記載のリモコン装置。
【請求項８】
第２の画面の項目選択画面と第３の画面と同様の構成をネスティング状に構成した請求項６、７に記載のリモコン装置。
【請求項９】
被制御機器の情報等を通常画面とは独立して表示する場合、通常画面上に別のメッセージ画面を重ねて表現するようにした請求項１〜８に記載のリモコン装置。
【請求項１０】
メッセージ画面はカード状の画面とし、影等をつけて立体的に表現した請求項９に記載のリモコン装置。
【請求項１１】
メッセージ画面は吹き出しとした請求項９に記載のリモコン装置。
【請求項１２】
メッセージ画面は看板等の実在する物体で表現した請求項９に記載のリモコン装置。
【請求項１３】
メッセージの内容によってメッセージ画面の種類を変えた請求項９に記載のリモコン装置。
【発明の詳細な説明】
【技術分野】
【０００１】
本発明はドットマトリックス表示装置を使用して、多機能な給湯器等の操作および表示をより分かり易くしたリモコン装置に関するものである。
【背景技術】
【０００２】
従来、この種のリモコン装置は多機能の被制御機器をコントロールするためにドットマトリックス表示装置の特徴を生かして、スイッチ操作により画面を切り替え、より多くの設定画面等を設け、多機能な使用に対する設定や表示に対応している（例えば、特許文献１参照）。
【０００３】
図７、図８は、特許文献１に記載された従来のリモコン装置のドットマトリックス表示器１を示すものである。リモコン装置はドットマトリックス表示器１と操作スイッチより構成され、図７のドットマトリックス表示器１では、スイッチ操作で給湯温度を変更する場合（ａ）で示すように給湯温度表示を拡大表示したり、時計時刻を変更するスイッチ操作がされた場合  （ｂ）で示すように時計設定画面に切り替えたり、その他設定を変更する場合は（ｃ）（ｄ）で示すように対応した画面に切り替えて各設定等を変更するようになっていた。
【０００４】
また、図８のドットマトリックス表示器１では、メッセージを表示する場合、画面に直接メッセージを表示するようになっていた。
【特許文献１】特開２０００−２１７１７４号公報
【発明の開示】
【発明が解決しようとする課題】
【０００５】
しかしながら、前記従来の構成では、多くの画面を単純に切り替えたり、画面の文字を変更したり、新たなメッセージを表示するだけなので、複雑に関連付けられた各画面間の関係や配置がイメージしにくく、結果として使用者に複雑で解りにくい印象を与えてしまうという課題を有していた。
【０００６】
本発明は、前記従来の課題を解決するもので、多機能な被制御機器に対応可能にするため多くの画面を持ちながら、それらの複雑な構成を感覚的にイメージすることを可能にした解りやすいリモコン装置を提供することを目的とする。
【課題を解決するための手段】
【０００７】
前記従来の課題を解決するために、本発明のリモコン装置は、主画面に機能グループに対応した機能表示要素を配置し、機能グループに対応したスイッチ操作がされたとき対応した機能表示要素を動的に拡大し第２の画面を構成し、第２の画面を終了する際は動的に機能表示要素へ縮小し、前記主画面にもどる表示制御おこなうとしたものである。
【０００８】
これによって、新たに現れた第２の画面がどの機能と対応しているのかが感覚的にイメージすることができる。
【０００９】
また本発明のリモコン装置は、機能グループがメニュー等の複数の項目より構成される場合、ページの概念を持つメモ帳等の現実に存在する物のイメージで表現し、画面を切り替える場合もメモ帳表現であれば隅に設けた折り返しをめくるという現実の動作と適合した動的な表現を介して画面を切り替えるようにしたものである。
【００１０】
これによって、同一機能グループに属する同一レベルの画面を順次切り替えているということを感覚的にイメージすることができる。
【００１１】
さらに本発明のリモコン装置はメモ帳の各ページに割り付けるべき項目を、使用頻度が高い等の条件から優先順位をつけて割り付け、一定レベル以下の優先順位のものは単一、または複数のグループに分け、グループ毎に項目選択画面として後方のページに割り付けることで第２の画面のページ数を最適化するようにした。
【００１２】
項目選択画面もその画面に割り付けられた項目のうち選ばれている項目を枠で囲み、操作スイッチにより決定操作されたとき、前記枠が動的に拡大し、選択項目に対応した第３の画面を構成するようにした。
【００１３】
また第３の画面から第２の画面（項目選択画面）に戻るときについても、第３の画面を項目選択画面の選択枠に動的に縮小表現するようにした。
【００１４】
これによって選ばれた項目と第３の画面の関係、第２の画面と第３の画面のレベル関係が感覚的にイメージすることができる。
【００１５】
また、第２の画面と第３の画面の移行処理を、第３以降の画面にもネスティング状に使用できるようにした。
【００１６】
これによってより多くの画面を解りやすさを損ねることなく設定できるので、より多機能機器のリモコンへの応用が可能となる。
【００１７】
次に本発明のリモコン装置は、被制御機器の情報等を通常画面とは独立して表示する場合、通常画面上にカード状のメッセージ画面を重ねて表現するようにした。さらにカードに影を施して立体的に通常画面の上に別のカードが出ていることを表現するようにした。
【００１８】
このことによって、出ているメッセージが通常の画面のメッセージとは別の独立したメッセージであることを感覚的にイメージすることができる。
【発明の効果】
【００１９】
本発明のリモコン装置は、多機能の被制御機器をコントロールするために必要な多くの画面を多次元的に整理し、その構成を使用者に感覚的にイメージできるようにすることで多機能であるにもかかわらず解りやすいリモコンを提供することができる。
【発明を実施するための最良の形態】
【００２０】
第１の発明はドットマトリクス表示器と、操作スイッチと、被制御機器を遠隔操作する通信部を備え、前記ドットマトリックス表示器に表示した主画面に機能グループに対応した機能表示要素を配置し、前記機能グループに対応したスイッチ操作がされたとき対応した前記機能表示要素を動的に拡大し第２の画面を構成し、前記第２の画面を終了する際は動的に前記機能表示要素へ縮小し、前記主画面にもどる表示制御おこなうことにより、使用者は第２の画面と機能グループの関係、主画面と第２の画面のレベル関係を動的に見ることとなり、画面構成を感覚的にイメージすることができる。
【００２１】
第２の発明は、特に、第１の発明のリモコン装置において、第２の画面をページ概念を持つ実在する物体で表現し、対応したスイッチ操作に伴う画面切替時に表現した物体に対応したページめくり表現を行うようにすることにより、使用者に同一レベルの画面（ページ）を次々めくっている様子を見せることとなり、使用者は切り替えている画面が同一レベルの画面構成であることを感覚的にイメージすることができる。さらに、実在する物体をイメージした表現にしているのでその効果をより一層向上させることができる。
【００２２】
第３の発明は、特に、第１または第２の発明のリモコン装置について、第２の画面を隅に折り返しを配置したメモ帳で表現し、画面切替時は前記折り返しを基点にページをめくる表現としたことにより、一般的に身近に存在し、ほとんどの人が認知している隅が折り返されたメモ帳を使って、通常のページめくり動作を見せることとなり、機械の苦手な使用者も画面構成を感覚的にイメージすることができる。
【００２３】
第４の発明は、第３の発明のめくり処理について、スタート時にコマ送りを細かくし、徐々に粗くすることにより、メモ帳を画面一杯に表現してメモ帳外エリアの表現ができなくなった状態で、めくれ部分が見える前半のコマを細かくし、めくれ部分がエリア外にはみ出て表現できないコマを粗くすることで、使用者にめくれ部分が完全に表現できるコマをより多く見せることとなり、めくっているイメージをより強く表現することができる。
【００２４】
第５の発明は、第１〜５の発明のリモコン装置において、第２の画面の各ページには優先度の高い順に項目を配置し、所定レベル以下の優先度の項目については単一または複数のグループに分け、項目選択画面として第２の画面後方ページに配置したことにより、第２の画面のページ数を適切に調整することとなり、ページめくり操作の操作性を向上させることができる。
【００２５】
第６の発明は、特に、第５の発明のリモコン装置において、項目選択画面は該当ページに割り付けられた項目リストを表示し、スイッチで項目選択操作をされたら選択された項目を枠で囲み、スイッチで項目決定操作をされたら前記枠が動的に拡大し、選択項目に対応した第３の画面を構成するようにしたことにより、使用者に選択した項目の枠が第３の画面になることを動的に見せることになり、使用者は選択項目と第３の画面の関係、第２の画面と第３の画面のレベル関係を感覚的にイメージすることができる。
【００２６】
第７の発明は、特に、第６の発明のリモコン装置において、スイッチ操作等によって第３の画面から第２の画面（項目選択画面）に戻るとき、第３の画面を項目選択画面の選択枠に動的に縮小表現することにより、使用者に第３の画面から第２の画面の選択項目になることを動的にみせることとなり、使用者は第２の画面と第３の画面のレベル関係と、まえのレベルの画面に戻ったことをイメージすることができる。
【００２７】
第８の発明は、特に、第６、７の発明のリモコン装置において、第２の画面の項目選択画面と第３の画面と同様の構成をネスティング状に構成することにより、第４の画面、第５の画面を必要に応じて増設することが可能となり、必要に応じて、さらに多くの項目に対応できる。
【００２８】
第９の発明は、特に、第１〜８の発明のリモコン装置において、被制御機器の情報等を通常画面とは独立して表示する場合、通常画面上に別のメッセージ画面を重ねて表現することにより、使用者にメッセージ画面が通常画面とは独立したものであることを見せることとなり、使用者はそのメッセージが新たな情報であることを感覚的にイメージすることができる。
【００２９】
第１０の発明は、特に、第９の発明のリモコン装置において、カード状のメッセージ画面に影等をつけて立体的に表現することにより、使用者に通常画面の上に別のカード状の画面が表示されていることをより際立たせて見せることとなり、使用者はそのメッセージの重要性を感覚的により強くイメージすることができる。
【００３０】
第１１の発明は、特に、第９の発明のリモコン装置において、メッセージ画面を吹き出しで構成することにより、通常画面とは異質な表現となり、使用者はよりいっそう独立性、重要性をイメージすることができる。
【００３１】
第１２の発明は、特に、第９の発明のリモコン装置において、メッセージ画面を看板等の実在する物体で構成することにより、第１１の発明と同様に使用者はよりいっそう独立性、重要性をイメージすることができる。
【００３２】
第１３の発明は、特に、第９の発明のリモコン装置において、メッセージの内容によってメッセージ画面の形状を変えることで、メッセージの内容の種類を使用者に即座に理解させることができる。
【００３３】
以下、本発明の実施の形態について、図面を参照しながら説明する。なお、この実施の形態によって本発明が限定されるものではない。
【００３４】
（実施の形態１）
図１は本発明の第１〜１３の実施の形態におけるふろ機能付き給湯器リモコン装置の外観図、図２は同実施の形態におけるメニューに割り付けられた画面構成図、図３は本発明の第１の実施の形態における画面遷移コマ図、図４は本発明の第２〜４の実施の形態における画面遷移コマ図、図５は本発明の第６、７の実施の形態における画面遷移コマ図、図６は本発明の第９〜１３の実施の形態における画面図である。
【００３５】
図１において、１はドットマトリックス表示器（以降表示器と記載）、２〜１０は操作スイッチ、被制御機器を遠隔操作する通信部は電子回路としてリモコン本体１１に内蔵されている。操作スイッチの中で２が画面切替スイッチで主として画面を切り替える場合に操作する。３はダウンスイッチ、４はアップスイッチで各種設定を変更したり、項目を選択するときに用いる。５は設定スイッチでダウンスイッチ３、アップスイッチ４で変更された設定や選択された項目を確定する。６〜１０のスイッチについては本発明に直接関係しないので説明を省略する。
【００３６】
図２において、主画面１２の状態で画面切替スイッチ２を操作すると第２の画面である足し湯起動画面１３に切り替え、さらに画面切替スイッチ２を操作する度に差し水起動画面１４、ふろ温度設定画面１５、ふろ湯量設定画面１６、リモコン設定画面１７、ふろ設定画面１８へと画面を切り替える。ふろ設定画面１８で画面切替スイッチ２を操作すると主画面１２に戻るようになっている。
【００３７】
足し湯起動画面１３で設定スイッチ５を操作すると被制御機器であるふろ機能付き給湯器に足し湯起動信号を出すと共に、足し湯中画面１９に切り替える。足し湯は給湯器で浴槽へ２０リットルの注湯が完了するか、足し湯画面１９中に設定スイッチ５が操作されると足し湯を終了し、主画面１２に戻るようになっている。
【００３８】
差し水起動画面１４についても足し湯起動画面１３と同様の動作となり、設定スイッチ
５を操作することで差し水中画面２０に切り替る。
【００３９】
ふろ温度設定画面１５、ふろ湯量設定画面１６ではそれぞれに表示されている設定値をアップスイッチ４、ダウンスイッチ３で変更した後、設定スイッチ５を操作すると主画面１２に戻るようになっている。
【００４０】
リモコン設定画面１７、ふろ設定画面１８は項目選択画面で複数の項目が割り付けられ、各画面でアップスイッチ４、ダウンスイッチ３を操作し項目を選択した後、設定スイッチ５を操作することで第３の画面に切り替えることができる。
【００４１】
リモコン設定画面１７では音声案内設定と音量設定の項目が割り付けられ、音声案内設定を選択し、設定スイッチ５を操作すると、音声案内設定画面２１に切り替る。また、音量設定を選択して設定スイッチ５を操作すると音量設定画面２２に遷移するようになっている。
【００４２】
音声案内設定画面２１ではアップスイッチ４、ダウンスイッチ３で音声案内有り／無しを選択し、設定スイッチ５を操作することで設定が変更され、主画面１２に戻るようになっている。また、音声案内設定画面２１で画面切替スイッチ２を操作すると、第２の画面であるリモコン設定画面１７に戻るようになっている。
【００４３】
音量設定画面２２ではアップスイッチ４、ダウンスイッチ３で音声案内、及び報知音の音量を変更し、設定スイッチ５を操作することで設定が変更され主画面１２に戻るようになっている。音量設定画面２２で画面切替スイッチ２を操作すると、第２の画面であるリモコン設定画面１７に戻るようになっている。
【００４４】
ふろ設定画面１８には洗浄運転起動、ふろ保温時間設定、自動洗浄設定、メンテ機能の項目が割り付けられ、アップスイッチ４、ダウンスイッチ３で項目を選択して設定スイッチ５を操作することで、第３の画面である洗浄運転起動画面２３、ふろ保温時間設定画面２４、自動洗浄設定画面２５、メンテ機能画面２６に切り替るようになっている。また、各第３の画面で画面切替スイッチ２を操作すると第２の画面であるふろ設定画面に戻るようになっている。
【００４５】
洗浄運転起動画面２１で設定スイッチ５を操作すると洗浄運転が起動すると共に洗浄中画面２７に切り替る。洗浄運転はふろ機能付き給湯器で浴槽のお湯を循環させてふろ配管の洗浄を行うモードで、２０分で自動終了する。洗浄中画面２７は洗浄運転が自動終了するか設定スイッチ５が操作されることで洗浄運転が停止し主画面１２に切り替る。
【００４６】
ふろ保温時間設定画面２４、自動洗浄設定画面２５ではアップスイッチ４、ダウンスイッチ３で設定を変更し設定スイッチ５を操作することで主画面１２に戻るようになっている。
【００４７】
メンテ機能画面３６は項目選択画面になっていて試運転起動、ＯＫモニターの項目が割り付けられいる。アップスイッチ４、ダウンスイッチ３で項目を選択し、設定スイッチ５を操作することで、それぞれ第４の画面である試運転起動画面２８、ＯＫモニター画面２９に切り替るようになっている。
【００４８】
試運転起動画面２８、ＯＫモニター画面２９で画面切替スイッチ２を操作すると第３の画面であるメンテ機能画面２６に戻るようになっている。
【００４９】
試運転起動画面２８で設定スイッチ５を操作するとふろ湯張りの試運転を起動して主画面１２に戻るようになっている。またＯＫモニター画面２９では過去の異常履歴を表示し、設定スイッチ５を操作すると主画面１２に戻るようになっている。
【００５０】
図２には表現されていないが、主画面１２、足し湯中画面１９、差し水中画面２０、洗浄中画面２７以外の画面では、１５秒間スイッチ操作がないと自動的に主画面１２に戻るようになっている。
【００５１】
ふろ湯張り試運転等については本発明に直接関係ないので説明を省略する。
【００５２】
図３において主画面１２から第２の画面である足し湯起動画面１３への動的遷移は、３１〜３４のコマ図で示したように、主画面１２に配置した機能表示要素であるメニューアイコン３０を徐々に拡大して足し湯起動画面１３になるようになっている。
【００５３】
反対に第２の画面であるふろ設定画面１８から主画面１２に戻るときも、３５〜３８のコマ図で示すようにふろ設定画面１８が縮小してメニューアイコン３０になるようにしている。
【００５４】
３５〜３８のコマ図で示した遷移処理はその他の第２の画面、第３の画面、第４の画面さらには足し湯中画面１９、差し湯中画面２０、洗浄中画面２７から主画面１２にもどるときも使用する。
【００５５】
図４において第２の画面である足し湯起動画面１３から同じく第２の画面である差し水起動画面１４への動的遷移を４０〜４６のコマ図で示している。
【００５６】
折り返し３９が完全に見えている４０〜４２までのコマ送り幅を折り返しが画面からはみ出して見えなくなっている４３から４６のコマ送り幅より細かくすることで、折り返しが完全に見えているコマ数を増やしている。
【００５７】
第２の画面間の遷移である差し水起動画面１４からふろ温度設定画面１５への遷移、ふろ温度設定画面１５からふろ湯量設定画面１６への遷移、ふろ湯量設定画面１６からリモコン設定画面１７への遷移、リモコン設定画面１７からふろ設定画面１８への遷移の際も同じめくり処理を用いる。
【００５８】
図５において第２の画面の項目選択画面であるリモコン設定画面１７から第３の画面である音量設定画面２２への動的遷移は４８〜５１のコマ図で示すように、リモコン設定画面１７の項目選択枠４７が徐々に拡大し音量設定画面２２になる。このとき項目名が音量設定画面のタイトルとなる。
【００５９】
また、第３の画面である音量設定画面２２から第２の画面の項目選択画面であるリモコン設定画面１７に戻る場合は音量設定画面２２が徐々に縮小し、リモコン設定画面１７の項目選択枠に戻るようにしている。
【００６０】
図６において被制御機器のふろ機能付き給湯器でふろ湯張りが完了したときのメッセージ表示を示している。５６はカードイメージのメッセージ画面５６で、影をつけて立体的に主画面１２の上にでているように表現している。
【００６１】
メッセージ画面５７は吹き出しイメージで、５８は看板イメージで表現した例である。
【００６２】
またメッセージ内容によってメッセージ画面を変える例として、湯張り完了メッセージのときに浴槽イメージのメッセージ画面５９と、異常メッセージのときに工具イメージのメッセージ画面６０を示している。
【００６３】
ここではメッセージ画面が主画面１２の上に湯張り完了メッセージがでている例を示しているが、この表現処理は第２の画面、第３の画面等すべての画面の上に異常発生メッセージ、ふろ保温終了メッセージ等のいろいろなパターンのメッセージを表示する際に使用する。
【００６４】
以上のように構成されたリモコン装置について、以下その動作、作用を説明する。
【００６５】
まず、主画面１２の機能表示要素であるメニューアイコン３０から動的に第２の画面である足し湯起動画面１３へ移行する。
【００６６】
また、メニューの各画面から主画面１２に戻る際も、各画面からメニューアイコン３０に動的に変化する。
【００６７】
以上のように、本実施の形態においてはメニューアイコン３０から動的に第２の画面であるメニュー機能画面へ変化させ、各メニュー機能画面から主画面１２に戻るときは動的にメニューアイコン３０に変化させることにより、使用者へ画面変化の過程を動的に見せることになり、使用者が各画面の関係を感覚的に理解することができる。
【００６８】
また、本実施の形態では第２の画面である足し湯起動画面１３からふろ設定画面１８まで画面を順次切り替える際に、実体のあるメモ帳をめくって行く表現で画面を切り替えるようにしたことにより、切り替えている画面を使用者が身近に存在するメモ帳に置き換えて想像することとなり、第２の画面がメニュー項目として順番に並んだ画面であることが感覚的に理解することができる。
【００６９】
また、第２の画面は項目毎に使用頻度の高い順番に並んでいるので、よく使う機能ほど操作回数が少なくなり、操作性を向上することができる。
【００７０】
使用頻度の低い項目についてはまとめて項目選択画面としてさらに第３の画面を構成しているので、第２の画面数も適正な数に設定できるうえに最後のほうに割り付けられた項目へもより少ない操作回数で到達可能な構成となり、操作性を向上できる。
【００７１】
さらに第２の画面の項目選択画面についても選択した項目を枠で囲み、選択決定されたときに該当項目枠が動的に該当項目画面に変化するので、選択した項目に対応した新たなレベルの第３の画面が開いたことを使用者がイメージすることとなる。
【００７２】
また第３の画面から第２の画面に戻る際も、第２の画面の第３の画面に対応した項目枠に動的に変化するので各画面の関連、第３の画面が終了して第２の画面に戻ったことを使用者が感覚的にイメージすることとなり、複雑な画面構成を容易に理解できる。
【００７３】
機能が多い機器に応用され項目数が非常に多い場合も、第３の画面から第４の画面を開くようにネスティングを重ねることにより、多くの項目を割り付けられ、高機能機器用として応用性が高く、解りやすいリモコンを提供できる。
【００７４】
湯張り完了時のメッセージや異常発生時のメッセージは主画面１２や第２、第３の画面等とは別次元の画面を重ねて表現するので、使用者にそのメッセージ画面が独立した画面であることを見せることで、使用者に通常の画面とは別のメッセージして適切に伝えることができる。
【００７５】
また、ふろ関係のメッセージのメッセージ枠をバスタブイメージの画面、異常メッセージを工具イメージの画面というようにメッセージによって画面形状を変えることで、使用者がメッセージを読むまえに感覚的にメッセージの分類をすることとなり、メッセージ毎に適切な注意をひき、メッセージをさらに適切に伝えることができる。
【００７６】
なお、動的遷移を示すコマ図は背景画面も入っているが、処理時間等の制約で背景を省略しても遷移時間が短時間の場合は同等の効果が得られる。
【００７７】
また、第２、第３、第４と画面を重ねる場合、下層の画面をずらして見せるとその上下関係がより一層表現することができる。
【産業上の利用可能性】
【００７８】
以上のように、本発明にかかるリモコン装置は、多機能の設定を行うためにドットマトリックス表示器を使い、多くの画面を切り替えて表示を行うリモコンにおいて、各画面の切り替えを動的に、かつ使用者がイメージしやすい実体のあるもののイメージで表現し、複雑な画面構成を感覚的に理解できるようにしたので、一般的に複雑な機械が苦手とされる女性やお年よりも使用するふろ機能付き給湯器や暖房機能付き給湯器等の多機能な機器のリモコンの用途に広く適用できる。
【図面の簡単な説明】
【００７９】
【図１】本発明の実施の形態１〜１３におけるリモコン装置の外観図
【図２】本発明の実施の形態１〜１３におけるリモコン装置のメニューに割り付けられた画面構成図
【図３】本発明の実施の形態１におけるリモコン装置の画面遷移コマ図
【図４】本発明の実施の形態２〜４におけるリモコン装置の画面遷移コマ図
【図５】本発明の実施の形態６、７におけるリモコン装置の画面遷移コマ図
【図６】本発明の実施の形態９〜１３におけるリモコン装置の画面図
【図７】従来のリモコン装置の画面遷移図
【図８】従来のリモコン装置の画面遷移図
【符号の説明】
【００８０】
１  ドットマトリックス表示器（表示器）
２  画面切替スイッチ（操作スイッチ）
３  ダウンスイッチ（操作スイッチ）
４  アップスイッチ（操作スイッチ）
５  設定スイッチ（操作スイッチ）
１１  リモコン本体
１２  主画面
１３  足し湯起動画面（第２の画面）
１４  差し水起動画面（第２の画面）
１５  ふろ温度設定画面（第２の画面）
１６  ふろ湯量設定画面（第２の画面）
１７  リモコン設定画面（第２の画面）
１８  ふろ設定画面（第２の画面）
２１  音声案内設定画面（第３の画面）
２２  音量設定画面（第３の画面）
２３  洗浄運転起動画面（第３の画面）
２４  ふろ保温時間設定画面（第３の画面）
２５  自動洗浄設定画面（第３の画面）
２６  メンテ機能画面（第３の画面）
２８  試運転起動画面（第４の画面）
２９  ＯＫモニター画面（第４の画面）
３０  メニューアイコン（機能表示要素）
【図１】
2006114964.tif 000003
【図２】
2006114964.tif 000004
【図３】
2006114964.tif 000005
【図４】
2006114964.tif 000006
【図５】
2006114964.tif 000007
【図６】
2006114964.tif 000008
【図７】
2006114964.tif 000009
【図８】
2006114964.tif 000010